(57)【要約】複数のセクタからデータを受信してサイト選択ダイバーシチ送信電力制御の候補となるセクタを選択する移動局であって、移動局が選択したセクタから個別物理データチャネルのデータの送信がない場合に、受信したセクタ選択候補テーブルに示されたセクタの中から複数のセクタを選択する。
2003094390.tif 000002
【特許請求の範囲】
【請求項１】
複数のセクタからデータを受信してサイト選択ダイバーシチ送信電力制御の候補となるセクタを選択する移動局において、
無線ネットワーク制御局から上記セクタを介して受信したセクタ選択候補テーブルに示されたセクタの中から複数のセクタを選択することを特徴とする移動局。
【請求項２】
選択したセクタから個別物理データチャネルのデータの送信がない場合に、複数のセクタを選択することを特徴とする請求の範囲第１項記載の移動局。
【請求項３】
選択したセクタから、所定回数以上、個別物理データチャネルのデータの送信がない場合に、複数のセクタを選択することを特徴とする請求の範囲第１項記載の移動局。
【請求項４】
複数のセクタからの共通パイロットチャネルのデータの送信有無を判定し、所定回数以上、共通パイロットチャネルのデータの送信を行っているセクタが存在しない場合に、複数のセクタを選択することを特徴とする請求の範囲第１項記載の移動局。
【請求項５】
共通パイロットチャネルのデータの送信がないセクタを、サイト選択ダイバーシチ送信電力制御の候補から除外することを特徴とする請求の範囲第４項記載の移動局。
【請求項６】
所定回数以上、共通パイロットチャネルのデータの送信がないセクタを、サイト選択ダイバーシチ送信電力制御の候補から除外することを特徴とする請求の範囲第４項記載の移動局。
【請求項７】
複数のセクタからデータを受信してサイト選択ダイバーシチ送信電力制御の候補となるセクタを選択する移動局において、
上記複数のセクタからのデータの送信有無を判定し、所定回数以上、データの送信がないセクタを、サイト選択ダイバーシチ送信電力制御の候補から除外することを特徴とする移動局。
【請求項８】
複数のセクタからの共通パイロットチャネルのデータの送信有無を判定することを特徴とする請求の範囲第７項記載の移動局。
【請求項９】
選択したセクタから個別物理データチャネルのデータの送信有無を判定し、所定回数以上、個別物理データチャネルのデータの送信がないセクタを、サイト選択ダイバーシチ送信電力制御の候補から一時的に除外することを特徴とする請求の範囲第７項記載の移動局。
【請求項１０】
複数のセクタからデータを受信してサイト選択ダイバーシチ送信電力制御の候補となるセクタを選択する移動局において、
無線ネットワーク制御局から上記セクタを介して受信したサイト選択ダイバーシチ送信電力制御ｏｎ／ｏｆｆ情報と、個別物理データチャネルのデータの送信有無と、個別物理制御チャネルにおけるトランスポートチャネルの構成を示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）部のＤＴＸ（Ｄｉｓｃｏｎｔｉｎｕｏｕｓ  ｔｒａｎｓｍｉｓｓｉｏｎ）ｏｎ／ｏｆｆ情報に基づきセクタを選択することを特徴とする移動局。
【請求項１１】
個別物理データチャネルの受信電力を測定して、個別物理データチャネルのデータの送信有無を判定することを特徴とする請求の範囲第１０項記載の移動局。
【請求項１２】
個別物理制御チャネルのＴＦＣＩ部の受信電力を測定して、個別物理データチャネルのデータの送信有無を判定することを特徴とする請求の範囲第１０項記載の移動局。
【請求項１３】
個別物理制御チャネルのパイロット部の受信電力を測定して、個別物理データチャネルのデータの送信有無を判定することを特徴とする請求の範囲第１０項記載の移動局。
【請求項１４】
個別物理制御チャネルのパイロット部の受信電力とＴＦＣＩ部の受信電力を測定して、個別物理データチャネルのデータの送信有無を判定することを特徴とする請求の範囲第１０項記載の移動局。
【発明の詳細な説明】
技術分野
この発明は移動体無線通信で使用される移動局に関するものであり、特に、サイト選択ダイバーシチ送信電力制御を適用した移動局に関するものである。
背景技術
例えばＣＤＭＡ（Ｃｏｄｅ  Ｄｅｖｉｓｉｏｎ  Ｍｕｌｔｉｐｌｅ  Ａｃｃｅｓｓ）方式の移動体無線通信において、１つの移動局が複数のセクタから同一のデータを同時に受信し、通信中のセクタの中から移動局が特定のセクタを選択し、選択されたセクタだけが移動局に個別物理データチャネルＤＰＤＣＨ（Ｄｅｄｉｃａｔｅｄ  Ｐｈｙｓｉｃａｌ  Ｄａｔａ  Ｃｈａｎｎｅｌ）を使用してデータを送信するサイト選択ダイバーシチ送信電力制御ＳＳＤＴ（Ｓｉｔｅ  Ｓｅｌｅｃｔｉｏｎ  Ｄｉｖｅｒｓｉｔｙ  Ｔｒａｎｓｍｉｔ  ｐｏｗｅｒ  ｃｏｎｔｒｏｌ）が行われている。ここで、セクタとは指向性アンテナを備えて３６０度のエリアの一部をカバーする基地局を指している。
サイト選択ダイバーシチ送信電力制御ＳＳＤＴを行う従来のセクタ選択方式として、例えば、３ＧＰＰ  ＴＳ  ２５．２１４  ｖｅｒ３．７．０（３ｒｄ  Ｇｅｎｅｒａｔｉｏｎ  Ｐａｒｔｎｅｒｓｈｉｐ  Ｐｒｏｊｅｃｔ，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，２００１−６）に記載されたセクタ選択方式がある。
このセクタ選択方式では、ダイバーシチハンドオーバ状態にある移動局が、セクタの上位局である無線ネットワーク制御局ＲＮＣ（Ｒａｄｉｏ  Ｎｅｔｗｏｒｋ  Ｃｏｎｔｒｏｌｌｅｒ）からセクタ経由で通信中のセクタ選択候補テーブル（セクタＩＤリスト）を受信する。そして、移動局は受信したセクタ選択候補テーブルに存在する各セクタの共通パイロットチャネルの受信レベルを測定し、共通パイロットチャネルの受信レベルが最も高いセクタを選択して、選択されたセクタのセクタＩＤを上り個別物理チャネルを使用して通知する。
最も受信レベルが高いセクタはＰｒｉｍａｒｙ  ｃｅｌｌと呼ばれ、移動局が通信中の全セクタに対してＰｒｉｍａｒｙ  ｃｅｌｌ  ＩＤを通知することによって、Ｐｒｉｍａｒｙ  ｃｅｌｌとしての通知を受けなかったセクタはＮｏｎ−ｐｒｉｍａｒｙ  ｃｅｌｌであると認識し、個別物理データチャネルにおけるデータの送信を停止する。このようにして、Ｐｒｉｍａｒｙ  ｃｅｌｌとして指定されたセクタだけが移動局に個別物理データチャネルを使用してデータを送信するサイト選択ダイバーシチ送信電力制御を行っている。
このように移動局はセクタにＰｒｉｍａｒｙ  ｃｅｌｌ  ＩＤを通知することによって動的にＰｒｉｍａｒｙ  ｃｅｌｌを切り換え、Ｐｒｉｍａｒｙ  ｃｅｌｌだけから個別物理データチャネルにおけるデータを受信することによって、セクタがカバーするエリア内の干渉電力を低減している。
このセクタ選択方式において、移動局がサイト選択ダイバーシチ送信電力制御に対応できるような機能を備えている場合は、無線ネットワーク制御局ＲＮＣがサイト選択ダイバーシチ送信電力制御のｏｎ／ｏｆｆを判断して移動局に通知する。サイト選択ダイバーシチ送信電力制御の“ｏｎ”を通知された移動局は、共通パイロットチャネルにおける受信レベルを測定し、Ｐｒｉｍａｒｙ  ｃｅｌｌを選択して、通信中の全セクタに対してＰｒｉｍａｒｙ  ｃｅｌｌ  ＩＤを通知する。しかし、Ｐｒｉｍａｒｙ  ｃｅｌｌとして選択されたセクタが、移動局から上り個別物理チャネルで送信されるデータを良い品質で受信できる保証はないため、移動局が該当のセクタに対してＰｒｉｍａｒｙ  ｃｅｌｌであることを複数回通知しても、該当のセクタがＰｒｉｍａｒｙ  ｃｅｌｌであることを認識しないことがある。
また、移動局はＰｒｉｍａｒｙ  ｃｅｌｌとして選択したセクタから個別物理データチャネルを使用してデータが送信されているか否かを判定せずに、常に共通パイロットチャネルの受信電力が最も強い基地局を、Ｐｒｉｍａｒｙ  ｃｅｌｌとして選択し続けていた。従って、共通パイロットチャネルの受信電力が最も強い基地局が、個別物理データチャネルを使用してデータを送信しない場合には、移動局は個別物理データチャネルのデータを受信できないことがあった。
従来の移動局は以上のように構成されているので、セクタの上位局である無線ネットワーク制御局ＲＮＣにおいて、送信すべきデータが滞留してしまいバッファの容量を越える可能性があるという課題があった。
また、サイト選択ダイバーシチ送信電力制御は、移動局が受信するデータの干渉電力を低減することを目的としていながら、移動局はＰｒｉｍａｒｙ  ｃｅｌｌとして選択したセクタからの個別物理データチャネルのデータを受信できない場合が発生し、回線状況が復旧するまで移動局は待たなければならず、移動局のデータの受信確率が低下してしまうという課題があった。
この発明は上記のような課題を解決するためになされたもので、ネットワーク側における送信すべきデータの滞留を少なくすることができると共に、移動局の個別物理データチャネルのデータの受信確率を向上することができる移動局を得ることを目的とする。
発明の開示
この発明に係る移動局は、複数のセクタからデータを受信してサイト選択ダイバーシチ送信電力制御の候補となるセクタを選択するもので、受信したセクタ選択候補テーブルに示されたセクタの中から複数のセクタを選択するものである。
このことによって、ネットワーク側における送信すべきデータの滞留を少なくすることができると共に、移動局の個別物理データチャネルのデータの受信確率を向上することができるという効果がある。
この発明に係る移動局は、選択したセクタから個別物理データチャネルのデータの送信がない場合に、複数のセクタを選択するものである。
このことによって、ネットワーク側における送信すべきデータの滞留を少なくすることができると共に、移動局の個別物理データチャネルのデータの受信確率を向上することができるという効果がある。
この発明に係る移動局は、選択したセクタから、所定回数以上、個別物理データチャネルのデータの送信がない場合に、複数のセクタを選択するものである。
このことによって、ネットワーク側における送信すべきデータの滞留を少なくすることができると共に、移動局の個別物理データチャネルのデータの受信確率を向上することができるという効果がある。
この発明に係る移動局は、複数のセクタからの共通パイロットチャネルのデータの送信有無を判定し、所定回数以上、共通パイロットチャネルのデータの送信を行っているセクタが存在しない場合に、複数のセクタを選択するものである。
このことによって、ネットワーク側における送信すべきデータの滞留を少なくすることができ、移動局の個別物理データチャネルのデータの受信確率を向上することができると共に、サイト選択ダイバーシチ送信電力制御が有効に動作しない環境においても、セクタからの個別物理データチャネルの再送回数を低減し、個別物理データチャネルの回線断を防止することができるという効果がある。
この発明に係る移動局は、共通パイロットチャネルのデータの送信がないセクタを、サイト選択ダイバーシチ送信電力制御の候補から除外するものである。
このことによって、ネットワーク側における送信すべきデータの滞留を少なくすることができるという効果がある。
この発明に係る移動局は、所定回数以上、共通パイロットチャネルのデータの送信がないセクタを、サイト選択ダイバーシチ送信電力制御の候補から除外するものである。
このことによって、ネットワーク側における送信すべきデータの滞留を少なくすることができるという効果がある。
この発明に係る移動局は、複数のセクタからデータを受信してサイト選択ダイバーシチ送信電力制御の候補となるセクタを選択するもので、複数のセクタからのデータの送信有無を判定し、所定回数以上、データの送信がないセクタを、サイト選択ダイバーシチ送信電力制御の候補から除外するものである。
このことによって、ネットワーク側における送信すべきデータの滞留を少なくすることができるという効果がある。
この発明に係る移動局は、複数のセクタからの共通パイロットチャネルのデータの送信有無を判定するものである。
このことによって、ネットワーク側における送信すべきデータの滞留を少なくすることができるという効果がある。
この発明に係る移動局は、選択したセクタから個別物理データチャネルのデータの送信有無を判定し、所定回数以上、個別物理データチャネルのデータの送信がないセクタを、サイト選択ダイバーシチ送信電力制御の候補から一時的に除外するものである。
このことによって、ネットワーク側における送信すべきデータの滞留を少なくすることができるという効果がある。
この発明に係る移動局は、複数のセクタからデータを受信してサイト選択ダイバーシチ送信電力制御の候補となるセクタを選択するもので、受信したサイト選択ダイバーシチ送信電力制御ｏｎ／ｏｆｆ情報と、個別物理データチャネルのデータの送信有無と、個別物理制御チャネルにおけるトランスポートチャネルの構成を示すＴＦＣＩ部のＤＴＸｏｎ／ｏｆｆ情報に基づきセクタを選択するものである。
このことによって、サイト選択ダイバーシチ送信電力制御ＳＳＤＴの候補となる有効なセクタを精度良く選択することができ、ネットワーク側における送信すべきデータの滞留を少なくすることができると共に、移動局の受信確率を向上することができるという効果がある。
この発明に係る移動局は、個別物理データチャネルの受信電力を測定し個別物理データチャネルのデータの送信有無を判定するものである。
このことによって、ネットワーク側における送信すべきデータの滞留を少なくすることができると共に、移動局の受信確率を向上することができるという効果がある。
この発明に係る移動局は、個別物理制御チャネルのＴＦＣＩ部の受信電力を測定して個別物理データチャネルのデータの送信有無を判定するものである。
このことによって、ネットワーク側における送信すべきデータの滞留を少なくすることができると共に、移動局の受信確率を向上することができるという効果がある。
この発明に係る移動局は、個別物理制御チャネルのパイロット部の受信電力を測定して、個別物理データチャネルのデータの送信有無を判定するものである。
このことによって、ネットワーク側における送信すべきデータの滞留を少なくすることができると共に、移動局の受信確率を向上することができるという効果がある。
この発明に係る移動局は、個別物理制御チャネルのパイロット部の受信電力とＴＦＣＩ部の受信電力を測定して、個別物理データチャネルのデータの送信有無を判定するものである。
このことによって、ネットワーク側における送信すべきデータの滞留を少なくすることができると共に、移動局の受信確率を向上することができるという効果がある。
発明を実施するための最良の形態
以下、この発明をより詳細に説明するために、この発明を実施するための最良の形態について、添付の図面に従って説明する。
実施の形態１．
第１図はこの発明の実施の形態１による移動局の構成を示すブロック図であり、図において、１はデータを受信するアンテナ部、２はアナログ信号の受信データをデジタル信号の受信データに変換するＡ／Ｄ変換部、３はデジタル信号に変換された受信データのゲイン調整を行うＡＧＣ部、４はＡ／Ｄ変換部２からの受信データを、ＲＡＫＥ受信機を用いて複数パス、複数セクタについて復調し、復調データをデコード部（図示せず）に出力する復調部である。
また、第１図において、５は復調部４により復調された各セクタからの個別物理データチャネルのデータの振幅とＡＧＣ部３の設定データに基づき各セクタからの個別物理データチャネルの受信電力を測定すると共に、各セクタからの共通パイロットチャネルのデータの振幅とＡＧＣ部３の設定データに基づき各セクタからの共通パイロットチャネルの受信電力を測定する受信電力測定部、６は受信電力測定部５により測定された受信電力情報に基づき、各セクタからの個別物理データチャネルのデータの送信有無を判定する判定部、７は判定部６の判定結果によりサイト選択ダイバーシチ送信電力制御を行うセクタを候補として選択する候補選択部、８は送信データを変調すると共に、候補選択部７により選択されたセクタのセクタＩＤをスロット内に送信情報としてマッピングを行う送信情報マッピング部（図示せず）を備えた変調部である。
次に動作について説明する。
第２図はこの発明の実施の形態１による移動局の処理の流れを示すフローチャートである。ステップＳＴ１１において、移動局は、無線ネットワーク制御局ＲＮＣから通知されるセクタ選択候補テーブルに示されているセクタの一部あるいは全てのセクタから、個別物理データチャネルのデータと共通パイロットチャネルのデータを受信し、受信電力測定部５は、復調部４により復調された個別物理データチャネルのデータの振幅とＡＧＣ部３の設定データに基づき、各セクタからの個別物理データチャネルの受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ１２において、判定部６は受信電力測定部５により測定された各セクタの個別物理データチャネルの受信電力と所定の閾値を比較し、受信電力が所定の閾値以上であれば、そのセクタからの個別物理データチャネルのデータがありと判断し、受信電力が所定の閾値未満であれば、そのセクタからの個別物理データチャネルのデータがなしと判断することで、各セクタからの個別物理データチャネルのデータの送信有無を判定する。
ステップＳＴ１３において、個別物理データチャネルの送信がありと判定した場合には、判定部６は該当のセクタのフラグをたてる。一方、個別物理データチャネルの送信がなしと判定した場合には、判定部６はフラグをたてない。
上記ステップＳＴ１１〜ＳＴ１３の処理は各セクタについて行われ、ステップＳＴ１４において、候補選択部７は、無線ネットワーク制御局ＲＮＣから指定されている全てのセクタ又は移動局が予め選択した一部のセクタについて、フラグの有無を判定し、どのセクタからも個別物理データチャネルのデータが送信されていない場合には、ステップＳＴ１５において、候補選択部７は複数のセクタから個別物理データチャネルのデータの送信を要求するＩＤである複数セクタ選択番号を選択する。この複数のセクタは、無線ネットワーク制御局ＲＮＣから通知されるセクタ選択候補テーブルに示されているセクタの一部あるいは全てのセクタである。
また、上記ステップＳＴ１４で、いずれか複数のセクタから個別物理データチャネルのデータが送信されている場合は、ステップＳＴ１６において、候補選択部７はステップＳＴ１１で測定した共通パイロットチャネルの受信電力が最も強いセクタのセクタＩＤを候補として選択する。
変調部８は、無線ネットワーク制御局ＲＮＣから指定された送信フレームフォーマットに従って、候補選択部７により選択されたセクタのセクタＩＤをスロット内の所定の場所にマッピングし、送信データの変調を行って各セクタへ送信する。
以上のように、この実施の形態１によれば、複数のセクタから個別物理データチャネルのデータの送信有無を判定し、どのセクタからも個別物理データチャネルのデータが送信されていない場合には、複数のセクタから個別物理データチャネルのデータの送信を要求する複数セクタ選択番号を指定することにより、即座に他のセクタから個別物理データチャネルのデータを送信することができ、ネットワーク側における送信すべきデータの滞留を少なくすることができると共に、移動局の個別物理データチャネルのデータの受信確率を向上することができるという効果が得られる。
実施の形態２．
この発明の実施の形態２による移動局の構成を示すブロック図は、実施の形態１の第１図に示す構成と同一である。
次に動作について説明する。
第３図はこの発明の実施の形態２による移動局の処理の流れを示すフローチャートである。ステップＳＴ２１において、無線ネットワーク制御局ＲＮＣから通知されるセクタ選択候補テーブルに示されているセクタのうち、移動局が選択して既に通知したセクタＩＤの各セクタから、個別物理データチャネルのデータを受信し、受信電力測定部５は、復調部４により復調された個別物理データチャネルのデータの振幅とＡＧＣ部３の設定データに基づき、各セクタからの個別物理データチャネルの受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ２２において、判定部６は受信電力測定部５により測定された個別物理データチャネルの受信電力と所定の閾値を比較し、受信電力が所定の閾値以上であれば、そのセクタからの個別物理データチャネルのデータがありと判断し、個別物理データチャネルの受信電力が所定の閾値未満であれば、そのセクタからの個別物理データチャネルのデータがなしと判断して、各セクタからの個別物理データチャネルのデータの送信有無を判定する。
複数のセクタから個別物理データチャネルのデータが送信されている場合には、ステップＳＴ２３において、候補選択部７はステップＳＴ２１で測定された共通パイロットチャネルの受信電力が最も強いセクタを候補として選択する。
上記ステップＳＴ２２で、各セクタから個別物理データチャネルのデータが送信されていない場合には、ステップＳＴ２４において、判定部６は内部に備えているカウンタの値をインクリメントする。ステップＳＴ２５において、判定部６はカウンタの値が予め設定している所定の閾値に達しているか否かを判定し、カウンタの値が所定の閾値に達した場合には、ステップＳＴ２６において、候補選択部７は複数のセクタから個別物理データチャネルのデータの送信を要求する複数セクタ選択番号を選択する。
上記ステップＳＴ２５で、カウンタの値が所定の閾値に達していない場合には、候補選択部７は上記ステップＳＴ２３の処理を行う。
以上のように、この実施の形態２によれば、移動局が選択したセクタから個別物理データチャネルのデータの送信有無を判定し、個別物理データチャネルのデータが送信されていない場合に、複数のセクタから個別物理データチャネルのデータの送信を要求する複数セクタ選択番号を指定することにより、あるセクタから個別物理データチャネルのデータが送信されていない場合でも、即座に他のセクタからデータを送信することができ、ネットワーク側における送信すべきデータの滞留を少なくすることができると共に、移動局の個別物理データチャネルのデータの受信確率を向上することができるという効果が得られる。
実施の形態３．
この発明の実施の形態３による移動局の構成を示すブロック図は、実施の形態１の第１図に示す構成と同等であるが、この実施の形態３では、受信電力測定部５は各セクタからの共通パイロットチャネルのデータの振幅とＡＧＣ部３の設定データに基づき各セクタからの共通パイロットチャネルの受信電力を測定し、判定部６は受信電力測定部５により測定された共通パイロットチャネルの受信電力と所定の閾値を比較して、共通パイロットチャネルのデータの送信有無を判定する。
セクタから個別物理データチャネルを使用してデータを送信する場合には、セクタはエリア内のフェージングの影響を低減するために送信電力を制御してデータを送信しているが、送信電力が小さい場合には、移動局は個別物理データチャネルのデータの送信を判断できない。この実施の形態３は、このような場合に対処するものであり、セクタが常に一定の送信電力でデータを送信する共通パイロットチャネルのデータの送信を判断するものである。
次に動作について説明する。
第４図はこの発明の実施の形態３による移動局の処理の流れを示すフローチャートである。ステップＳＴ３１において、移動局は、無線ネットワーク制御局ＲＮＣから通知されるセクタ選択候補テーブルに示されているセクタの一部あるいは全てのセクタから、共通パイロットチャネルのデータを受信し、受信電力測定部５は復調部４により復調された共通パイロットチャネルのデータの振幅とＡＧＣ部３の設定データに基づき各セクタからの共通パイロットチャネルの受信電力を測定する。
ステップＳＴ３２において、判定部６は受信電力測定部５により測定された共通パイロットチャネルの受信電力と所定の閾値を比較して、共通パイロットチャネルのデータの送信有無を判定し、受信電力が所定の閾値未満で共通パイロットチャネルのデータの送信がない場合には、ステップＳＴ３３において、判定部６は内部に各セクタ対応で備えているカウンタの値をクリアして、そのセクタをサイト選択ダイバーシチ送信電力制御の候補から除外する。
ステップＳＴ３２で、受信電力が所定の閾値以上で、共通パイロットチャネルのデータの送信がある場合には、ステップＳＴ３４において、判定部６は内部に各セクタ対応で備えているカウンタの値をインクリメントする。ステップＳＴ３５において、判定部６はカウンタの値と所定の閾値を比較し、カウンタの値が所定の閾値以上であれば、ステップＳＴ３６において、判定部６はそのセクタをサイト選択ダイバーシチ送信電力制御の候補とする。カウンタの値が所定の閾値以下であれば何もしない。
上記ステップＳＴ３１〜ＳＴ３６の処理は各セクタについて行われ、ステップＳＴ３７において、候補選択部７はサイト選択ダイバーシチ送信電力制御の候補となっているセクタが存在するか否かを判定する。サイト選択ダイバーシチ選択候補となっているセクタが複数存在すれば、ステップＳＴ３８において、候補選択部７はその中から共通パイロットチャネルの受信電力が最も強いセクタを選択する。
上記ステップＳＴ３７で、サイト選択ダイバーシチ選択候補となっているセクタが１つも存在しない場合には、ステップＳＴ３９において、候補選択部７は複数のセクタから個別物理データチャネルのデータの送信を要求するＩＤである複数セクタ選択番号を選択する。
以上のように、この実施の形態３によれば、共通パイロットチャネルの所定の受信電力を確保できるセクタが存在しない場合は、複数のセクタから個別物理データチャネルのデータの送信を要求する複数セクタ選択番号を選択することにより、ネットワーク側における送信すべきデータの滞留を少なくすることができると共に、移動局の個別物理データチャネルのデータの受信確率を向上することができるという効果が得られる。
また、この実施の形態３によれば、各セクタから同一の電力で送信されている共通パイロットチャネルの受信電力により、サイト選択ダイバーシチ送信電力制御の候補となるセクタを選択することにより、サイト選択ダイバーシチ送信電力制御が有効に動作しない環境においても、セクタからの個別物理データチャネルの再送回数を低減し、個別物理データチャネルの回線断を防止することができるという効果が得られる。
実施の形態４．
この発明の実施の形態４による移動局の構成を示すブロック図は、実施の形態１の第１図に示す構成と同等であるが、この実施の形態４では、受信電力測定部５は各セクタからの共通パイロットチャネルのデータの振幅とＡＧＣ部３の設定データに基づき各セクタからの共通パイロットチャネルの受信電力を測定し、判定部６は受信電力測定部５により測定された共通パイロットチャネルの受信電力と所定の閾値を比較して、共通パイロットチャネルのデータの送信有無を判定し、受信電力が弱い状態が所定の受信回数続くレベル変動の激しいセクタを選択候補から除外する保護判定を行う。
この実施の形態４も、実施の形態３と同様に、セクタが常に一定の送信電力でデータを送信する共通パイロットチャネルのデータの送信を判断するものである。
次に動作について説明する。
第５図はこの発明の実施の形態４による移動局の処理の流れを示すフローチャートである。ステップＳＴ４１において、移動局は、無線ネットワーク制御局ＲＮＣから通知されるセクタ選択候補テーブルに示されているセクタの一部あるいは全てのセクタから、共通パイロットチャネルのデータを受信し、受信電力測定部５は復調部４により復調された共通パイロットチャネルのデータの振幅とＡＧＣ部３の設定データに基づき各セクタからの共通パイロットチャネルの受信電力を測定する。
ステップＳＴ４２において、判定部６は受信電力測定部５により測定された共通パイロットチャネルの受信電力と所定の閾値を比較して、共通パイロットチャネルのデータの送信有無を判定し、受信電力が所定の閾値以上で共通パイロットチャネルのデータの送信がある場合には、ステップＳＴ４３において、判定部６は各セクタ対応で内部に備えているカウンタ１の値をインクリメントする。
ステップＳＴ４４において、判定部６はインクリメントされたカウンタ１の値と所定の閾値と比較し、カウンタ１の値が所定の閾値以上ならば、ステップＳＴ４５において、判定部６はそのセクタをサイト選択ダイバーシチ送信電力制御の候補とする。ステップＳＴ４４でカウンタ１の値が所定の閾値未満の場合には、判定部６は何もしない。
また、ステップＳＴ４２で、受信電力が所定の閾値未満で、共通パイロットチャネルのデータの送信がない場合には、ステップＳＴ４６において、判定部６は各セクタ対応で内部に備えているカウンタ２の値をインクリメントする。
ステップＳＴ４７において、判定部６はインクリメントされたカウンタ２の値と所定の閾値と比較し、カウンタ２の値が所定の閾値以上ならば、ステップＳＴ４８において、判定部６はそのセクタを選択候補セクタから除外する。ステップＳＴ４７でカウンタ２の値が所定の閾値未満の場合には、判定部６は何もしない。
上記ステップＳＴ４１〜ＳＴ４８の処理は各セクタについて行われ、ステップＳＴ４９において、候補選択部７はサイト選択ダイバーシチ送信電力制御の候補となっているセクタが存在するか否かを判定する。サイト選択ダイバーシチ選択候補となっているセクタが複数存在すれば、ステップＳＴ５０において、候補選択部７はその中から共通パイロットチャネルの受信電力が最も強いセクタを選択する。
上記ステップＳＴ４９で、サイト選択ダイバーシチ選択候補となっているセクタが１つも存在しない場合には、ステップＳＴ５１において、候補選択部７は複数のセクタから個別物理データチャネルのデータの送信を要求するＩＤである複数セクタ選択番号を選択する。
以上のように、この実施の形態４によれば、共通パイロットチャネルの所定の受信電力を確保できるセクタが存在しない場合は、複数のセクタから個別物理データチャネルのデータの送信を要求する複数セクタ選択番号を選択することにより、ネットワーク側における送信すべきデータの滞留を少なくすることができると共に、移動局の個別物理データチャネルのデータの受信確率を向上することができるという効果が得られる。
また、この実施の形態４によれば、各セクタから同一の電力で送信されている共通パイロットチャネルの受信電力により、サイト選択ダイバーシチ送信電力制御の候補となるセクタを選択することにより、サイト選択ダイバーシチ送信電力制御が有効に動作しない環境においても、セクタからの個別物理データチャネルの再送回数を低減し、個別物理データチャネルの回線断を防止することができるという効果が得られる。
さらに、この実施の形態４によれば、受信電力が弱い状態が所定の受信回数続くレベル変動の激しいセクタを選択候補から除外する保護判定を行うことによって、受信電力が安定したセクタの中から最も受信電力が強いセクタを選択することが可能になり、セクタから移動局へ送信される送信データの不達によるデータ再送回数を低減可能となり、ネットワーク側における送信すべきデータの滞留を少なくすることができるという効果が得られる。
実施の形態５．
この発明の実施の形態５による移動局の構成を示すブロック図は実施の形態１の第１図と同等であるが、この実施の形態５では、受信電力測定部５は各セクタからの共通パイロットチャネルのデータの振幅とＡＧＣ部３の設定データに基づき各セクタからの共通パイロットチャネルの受信電力を測定し、判定部６は受信電力が弱い状態が所定の受信回数続くレベル変動の激しいセクタを選択候補から除外する保護判定を行う。
次に動作について説明する。
移動局は複数の復調装置を用いて、複数のセクタから受信を行っている。受信するセクタ候補はネットワーク側から指定される。通常、複数のセクタは同一の個別物理データチャネルを使用してデータを送信しているが、サイト選択ダイバーシチ送信電力制御方式が有効な場合には、移動局が選択したセクタ以外は個別物理データチャネルの送信を停止する。移動局は上り回線を用いて移動局が選択したセクタ番号を各セクタに通知する。しかし、移動局が選択したセクタ番号がセクタへ正常に伝わらないことがあり、この実施の形態５は、移動局が選択したセクタ番号を認識できないセクタについては、上りリンクの回線状況が悪いセクタと判定して選択候補から除外するものである。
第６図はこの発明の実施の形態５による移動局の処理の流れを示すフローチャートである。ステップＳＴ６１において、移動局は、無線ネットワーク制御局ＲＮＣから通知されるセクタ選択候補テーブルに示されているセクタの一部あるいは全てのセクタから、共通パイロットチャネルのデータを受信し、受信電力測定部５は復調部４により復調された共通パイロットチャネルのデータの振幅とＡＧＣ部３の設定データに基づき各セクタからの共通パイロットチャネルの受信電力を測定する。
ステップＳＴ６２において、判定部６は受信電力測定部５により測定された共通パイロットチャネルの受信電力と所定の閾値を比較して、共通パイロットチャネルのデータの送信有無を判定し、受信電力が所定の閾値以上ならば、ステップＳＴ６３において、判定部６は各セクタ対応で内部に備えているカウンタ１の値をインクリメントする。
ステップＳＴ６４において、判定部６はインクリメントされたカウンタ１の値と所定の閾値と比較し、カウンタ１の値が所定の閾値以上ならば、ステップＳＴ６５において、判定部６はそのセクタをサイト選択ダイバーシチ送信電力制御の候補とする。ステップＳＴ６４でカウンタ１の値が所定の閾値未満の場合には、判定部６は何もしない。
また、ステップＳＴ６２で、受信電力が所定の閾値未満ならば、ステップＳＴ６６において、判定部６は各セクタ対応で内部に備えているカウンタ２の値をインクリメントする。
ステップＳＴ６７において、判定部６はインクリメントされたカウンタ２の値と所定の閾値と比較し、カウンタ２の値が所定の閾値以上ならば、ステップＳＴ６８において、判定部６はそのセクタを選択候補セクタから除外する。ステップＳＴ６７でカウンタ２の値が所定の閾値未満の場合には、判定部６は何もしない。
上記ステップＳＴ６１〜ＳＴ６８の処理は各セクタについて行われ、ステップＳＴ６９において、候補選択部７は共通パイロットチャネルの受信電力が最も強いセクタを選択する。
以上のように、この実施の形態５によれば、受信電力が弱い状態が所定の受信回数続くレベル変動の激しいセクタを選択候補から除外する保護判定を行うことによって、受信電力が安定したセクタの中から最も受信電力が強いセクタを選択することが可能になり、セクタから移動局へ送信されるデータの不達によるデータ再送回数を低減可能となり、ネットワーク側における送信すべきデータの滞留を少なくすることができるという効果が得られる。
実施の形態６．
この発明の実施の形態６による移動局の構成を示すブロック図は実施の形態１の第１図と同等であるが、この実施の形態６では、判定部６は受信電力測定部５により測定された個別物理データチャネルの受信電力と所定の閾値を比較して、個別物理データチャネルのデータの送信有無を判定し、個別物理データチャネルの受信電力が弱い状態が所定の受信回数続くレベル変動の激しいセクタを選択候補から一時的に除外する保護判定を行う。
実施の形態５と同様に、移動局が選択したセクタ番号がセクタへ正常に伝わらない場合には、この実施の形態６は、移動局が選択したセクタ番号を認識できないセクタは上りリンクの回線状況が悪いセクタと判定して一時的に選択候補から除外するものである。
次に動作について説明する。
第７図はこの発明の実施の形態６による移動局の処理の流れを示すフローチャートである。ステップＳＴ７１において、無線ネットワーク制御局ＲＮＣから通知されるセクタ選択候補テーブルに示されているセクタのうち、移動局が選択して既に通知したセクタＩＤの各セクタから、個別物理データチャネルのデータを受信し、受信電力測定部５は、復調部４により復調された個別物理データチャネルのデータの振幅とＡＧＣ部３の設定データに基づき、各セクタからの個別物理データチャネルの受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ７２において、判定部６は受信電力測定部５により測定された個別物理データチャネルの受信電力と所定の閾値を比較し、受信電力が所定の閾値以上であれば、そのセクタからの個別物理データチャネルのデータがありと判断し、個別物理データチャネルの受信電力が所定の閾値未満であれば、そのセクタからの個別物理データチャネルのデータがなしと判断することで、各セクタからの個別物理データチャネルのデータの送信有無を判定する。
ステップＳＴ７２で、各セクタから個別物理データチャネルのデータが送信されていない場合には、ステップＳＴ７３において、判定部６は内部にセクタ毎に備えているカウンタの値をインクリメントして、未受信回数をカウントする。また、各セクタから個別物理データチャネルのデータが送信されている場合には、ステップＳＴ７４において、判定部６は内部にセクタ毎に備えているカウンタの値をクリアする。
ステップＳＴ７５において、判定部６はカウンタの値が予め設定している所定の閾値に達しているか否かを判定し、カウンタの値が所定の閾値に達した場合には、ステップＳＴ７６において、判定部６は移動局が持つ選択候補テーブルからそのセクタをＴ［ｓｅｃ］間除外する。カウンタの値が閾値以下ならば何もしない。
ステップＳＴ７７において、候補選択部７は判定部６から通知される各セクタの候補の中から、共通パイロットチャネルの受信電力が最も強いセクタを選択する。
以上のように、この実施の形態６によれば、移動局がセクタを選択するたびにセクタからの個別物理データチャネルのデータの送信有無を判定し、移動局が選択したセクタから個別物理データチャネルのデータが送信されない回数が所定以上になると、そのセクタをセクタ選択候補から一時的に除外することによって、個別物理データチャネルの受信電力が安定したセクタの中から共通パイロットチャネルの受信電力が最も強いセクタを選択することが可能になり、セクタから移動局へ送信されるデータの不達によるデータ再送回数を低減可能となり、ネットワーク側における送信すべきデータの滞留を少なくすることができるという効果が得られる。
上記実施の形態５とこの実施の形態６を別々に実施しているが、実施の形態５の処理に続いて実施の形態６の処理を行うようにしても良い。
実施の形態７．
第８図はこの発明の実施の形態７による移動局の構成を示すブロック図であり、図において、９は復調部４にて復調した受信データをデコードし、デコード結果である受信データ情報を出力するデコード部で、１０はデコード部９からの受信データ情報により、無線ネットワーク制御局ＲＮＣから通知されたサイト選択ダイバーシチ送信電力制御ＳＳＤＴｏｎ／ｏｆｆ情報と、個別物理制御チャネルにおけるトランスポートチャネルの構成を示すＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）部のＤＴＸ（Ｄｉｓｃｏｎｔｉｎｕｏｕｓ  ｔｒａｎｓｍｉｓｓｉｏｎ）ｏｎ／ｏｆｆ情報を候補選択部７に出力する制御部である。
また、第８図において、その他の構成は実施の形態１の第１図と同等であるが、判定部６は個別物理データチャネルの受信電力により個別物理データチャネルのデータの送信有無を判定し、候補選択部７は、判定部６の判定結果である個別物理データチャネルのデータの送信有無と、制御部１０からのサイト選択ダイバーシチ送信電力制御ＳＳＤＴｏｎ／ｏｆｆ情報と、トランスポートチャネルの構成を示すＴＦＣＩのＤＴＸｏｎ／ｏｆｆ情報に基づいて、サイト選択ダイバーシチ送信電力制御の候補となるセクタを選択する。
なお、ＴＦＣＩ部は個別物理制御チャネルにて送信されるインジケータｂｉｔで、個別物理データチャネルにてデータが送信されないときは、ＴＦＣＩ部はＤＴＸｏｎされてＴＦＣＩ部については送信されない。
次に動作について説明する。
移動局は複数の復調装置を用いて、複数のセクタから受信を行っている。受信するセクタ候補はネットワーク側から指定される。通常、複数のセクタは同一の個別物理データチャネルを使用してデータを送信しているが、サイト選択ダイバーシチ送信電力制御方式が有効な場合は移動局が選択したセクタ以外は個別物理データチャネルのデータの送信を停止する。移動局は上り回線を用いて移動局が選択したセクタ番号を各セクタに通知する。しかし、移動局が選択したセクタ番号がセクタへ正常に伝わらないことがあり、この実施の形態７は、移動局において、判定部６が個別物理データチャネルのデータの送信有無を判定し、個別物理データチャネルを使用してデータを送信しないセクタを再選択しないよう候補選択部７へ通知するものである。
第９図はこの発明の実施の形態７による移動局の処理の流れを示すフローチャートである。ステップＳＴ８１において、移動局が選択して既に通知したセクタＩＤの各セクタから、個別物理データチャネルのデータを受信し、受信電力測定部５は、復調部４により復調された個別物理データチャネルのデータの振幅とＡＧＣ部３の設定データに基づき、各セクタからの個別物理データチャネルの受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ８２において、判定部６は受信電力測定部５により測定された個別物理データチャネルの受信電力と所定の閾値を比較し、ステップＳＴ８３において、判定部６は、個別物理データチャネルの受信電力が所定の閾値以上であれば、そのセクタからの個別物理データチャネルのデータがありと判断し、個別物理データチャネルの受信電力が所定の閾値未満であれば、そのセクタからの個別物理データチャネルのデータがなしと判断することで、各セクタからの個別物理データチャネルのデータの送信有無を判定する。
ステップＳＴ８４において、候補選択部７は、制御部１０から通知されたサイト選択ダイバーシチ送信電力制御ＳＳＤＴｏｎ／ｏｆｆ情報と、判定部６の判定結果である個別物理データチャネルのデータの送信有無と、制御部１０から通知されたトランスポートチャネルの構成を示すＴＦＣＩのＤＴＸｏｎ／ｏｆｆ情報によりセクタを選択候補として判定する。
ステップＳＴ８５において、候補選択部７は、ステップＳＴ８４で選択候補として判定した候補の中から、ステップＳＴ８１で測定した共通パイロットチャネルの受信電力が最も大きなセクタを、サイト選択ダイバーシチ送信電力制御ＳＳＤＴの候補として選択する。
候補選択部７は、ステップＳＴ８５で選択したセクタを変調部８と制御部１０に通知する。制御部１０は候補選択部７により選択されたセクタを復調部４に通知し、復調部４は特定のセクタからの個別物理データチャネルのデータの復調を行う。変調部８の処理は実施の形態１と同様である。
第１０図は第９図のステップＳＴ８４で候補選択部７が行うセクタの選択方法を説明する図である。第１０図に示すように、候補選択部７は、ＳＳＤＴｏｎ／ｏｆｆ情報と、個別物理データチャネルのデータの送信有無と、ＤＴＸｏｎ／ｏｆｆ情報によりセクタを選択候補として判定するが、ＳＳＤＴがｏｎで、個別物理データチャネルのデータの送信ありの場合は、ＤＴＸｏｎ／ｏｆｆ情報に係らず、候補選択部７はそのセクタを選択候補として判定し、また、ＳＳＤＴがｏｎで、個別物理データチャネルのデータの送信なしと判定された場合に、デコード部９によってＤＴＸがｏｎと判定された、すなわちＴＦＣＩ判定によって個別物理データチャネルが送信されていないと判定されると、候補選択部７はそのセクタを選択候補から外さないが、デコード部９によってＤＴＸがｏｆｆと判定された、すなわちＴＦＣＩ判定によって個別物理データチャネルが送信されていると判定されると、候補選択部７はそのセクタを選択候補から外す。さらに、ＳＳＤＴがｏｆｆの場合には、判定部６の判定結果やＤＴＸｏｎ／ｏｆｆ情報に係らず、候補選択部７は移動局からセクタに送信するＦＢＩ（Ｆｅｅｄｂａｃｋ  Ｉｎｆｏｒｍａｔｉｏｎ）を生成しない。
以上のように、この実施の形態７によれば、候補選択部７が、サイト選択ダイバーシチ送信電力制御ＳＳＤＴｏｎ／ｏｆｆ情報と、個別物理データチャネルの受信電力により判定した個別物理データチャネルのデータの送信有無と、トランスポートチャネルの構成を示すＴＦＣＩのＤＴＸｏｎ／ｏｆｆ情報に基づいてセクタを選択することにより、サイト選択ダイバーシチ送信電力制御ＳＳＤＴの候補となる有効なセクタを精度良く選択することができ、ネットワーク側における送信すべきデータの滞留を少なくすることができるという効果が得られる。
また、従来では移動局が選択したセクタが個別物理データチャネルのデータを送信しない場合には、回線状況が復旧するまで移動局は待つ必要があるが、この実施の形態７によれば、個別物理データチャネルの受信確率を向上することができるという効果が得られる。
実施の形態８．
この発明の実施の形態８による移動局の構成を示すブロック図は、実施の形態７の第８図と同等であるが、受信電力測定部５は、選択したセクタからの個別物理制御チャネルのＴＦＣＩ部の受信電力を測定すると共に、各セクタからの共通パイロットチャネルの受信電力を測定し、判定部６は個別物理制御チャネルのＴＦＣＩ部の受信電力により個別物理データチャネルのデータの送信有無を判定する。
実施の形態７で説明したように、個別物理データチャネルのデータが送信されないときには、ＴＦＣＩ部はＤＴＸされてＴＦＣＩ部は送信されないので、ＴＦＣＩ部の受信電力を測定することによって個別物理データチャネルのデータの送信有無を判定できる。
次に動作について説明する。
第１１図はこの発明の実施の形態８による移動局の処理の流れを示すフローチャートである。ステップＳＴ９１において、移動局が選択して既に通知したセクタＩＤの各セクタから、個別物理制御チャネルのデータを受信し、受信電力測定部５は、復調部４により復調された個別物理制御チャネルのＴＦＣＩ部の振幅積分値とＡＧＣ部３の設定データに基づき、各セクタからの個別物理制御チャネルのＴＦＣＩ部の受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ９２において、判定部６は受信電力測定部５により測定された個別物理制御チャネルのＴＦＣＩ部の受信電力と所定の閾値を比較し、ステップＳＴ９３において、判定部６は、ＴＦＣＩ部の受信電力が所定の閾値以上であれば、そのセクタからの個別物理データチャネルのデータがありと判断し、ＴＦＣＩ部の受信電力が所定の閾値未満であれば、そのセクタからの個別物理データチャネルのデータがなしと判断することで、各セクタからの個別物理データチャネルのデータの送信有無を判定する。
ステップＳＴ９４，ＳＴ９５の処理は、実施の形態７の第９図のステップＳＴ８４，ＳＴ８５の処理と同一であり、候補選択部７によるセクタの選択方法は、実施の形態７の第１０図に示す内容と同じである。
以上のように、この実施の形態８によれば、候補選択部７が、サイト選択ダイバーシチ送信電力制御ＳＳＤＴｏｎ／ｏｆｆ情報と、個別物理制御チャネルのＴＦＣＩ部の送信電力により判定した個別物理データチャネルのデータの送信有無と、トランスポートチャネルの構成を示すＴＦＣＩのＤＴＸｏｎ／ｏｆｆ情報に基づいてセクタを選択することにより、サイト選択ダイバーシチ送信電力制御ＳＳＤＴの候補となる有効なセクタを精度良く選択することができ、ネットワーク側における送信すべきデータの滞留を少なくすることができるという効果が得られる。
また、従来では移動局が選択したセクタが個別物理データチャネルのデータを送信しない場合には、回線状況が復旧するまで移動局は待つ必要があるが、この実施の形態８によれば、個別物理データチャネルの受信確率を向上することができるという効果が得られる。
実施の形態９．
この発明の実施の形態９による移動局の構成を示すブロック図は、実施の形態７の第８図と同等であるが、受信電力測定部５は、選択したセクタからの個別物理制御チャネルのパイロット部の受信電力を測定すると共に、各セクタからの共通パイロットチャネルの受信電力を測定し、判定部６は個別物理制御チャネルのパイロット部の受信電力により個別物理データチャネルのデータの送信有無を判定する。
個別物理制御チャネルには同期検波を行うためのパイロット部（パイロットシンボル）が含まれている。この実施の形態９では、個別物理データチャネルが送信されない場合はパイロット部も送信されない方式とするため、パイロット部の受信電力を測定することによって個別物理データチャネルのデータの送信有無を判定できる。
次に動作について説明する。
第１２図はこの発明の実施の形態９による移動局の処理の流れを示すフローチャートである。ステップＳＴ１０１において、移動局が選択して既に通知したセクタＩＤの各セクタから、個別物理制御チャネルのデータを受信し、受信電力測定部５は、復調部４により復調された個別物理制御チャネルのパイロット部の振幅積分値とＡＧＣ部３の設定データに基づき、各セクタからのパイロット部の受信電力を測定すると共に、復調部４により復調された共通パイロットチャネルのデータの振幅とＡＧＣ部３の設定データに基づき、各セクタからの共通パイロットチャネルの受信電力を測定する。
ステップＳＴ１０２において、判定部６は受信電力測定部５により測定された個別物理制御チャネルのパイロット部の受信電力と所定の閾値を比較し、ステップＳＴ１０３において、判定部６は、パイロット部の受信電力が所定の閾値以上であれば、そのセクタからの個別物理データチャネルのデータがありと判断し、パイロット部の受信電力が所定の閾値未満であれば、そのセクタからの個別物理データチャネルのデータがなしと判断することで、各セクタからの個別物理データチャネルのデータの送信有無を判定する。
ステップＳＴ１０４、ＳＴ１０５の処理は、実施の形態７の第９図のステップＳＴ８４，ＳＴ８５の処理と同一であり、候補選択部７によるセクタの選択方法は実施の形態７の第１０図に示す内容と同じである。
以上のように、この実施の形態９によれば、候補選択部７が、サイト選択ダイバーシチ送信電力制御ＳＳＤＴｏｎ／ｏｆｆ情報と、個別物理制御チャネルのパイロット部の受信電力により判定した個別物理データチャネルのデータの送信有無と、トランスポートチャネルの構成を示すＴＦＣＩのＤＴＸｏｎ／ｏｆｆ情報に基づいてセクタを選択することにより、サイト選択ダイバーシチ送信電力制御ＳＳＤＴの候補となる有効なセクタを精度良く選択することができ、ネットワーク側における送信すべきデータの滞留を少なくすることができるという効果が得られる。
また、従来では移動局が選択したセクタが個別物理データチャネルのデータを送信しない場合には、回線状況が復旧するまで移動局は待つ必要があるが、この実施の形態９によれば、個別物理データチャネルの受信確率を向上することができるという効果が得られる。
実施の形態１０．
この発明の実施の形態１０による移動局の構成を示すブロック図は、実施の形態７の第８図と同等であるが、受信電力測定部５は、選択したセクタからの個別物理制御チャネルのパイロット部の受信電力とＴＦＣＩ部の受信電力を測定すると共に、各セクタからの共通パイロットチャネルの受信電力を測定し、判定部６はパイロット部の受信電力とＴＦＣＩ部の受信電力の差により、個別物理データチャネルのデータの送信有無を判定する。
個別物理制御チャネルには同期検波を行うためのパイロット部（パイロットシンボル）が含まれているが、この実施の形態１０では、このパイロット部は個別物理データチャネルの送信有無に関係なく送信される方式とし、個別物理制御チャネルのＴＦＣＩ部は、個別物理データチャネルのデータが送信されないときには送信されないので、パイロット部の受信電力とＴＦＣＩ部の受信電力の差を演算することによって個別物理データチャネルのデータの送信有無を判定できる。
次に動作について説明する。
第１３図はこの発明の実施の形態１０による移動局の処理の流れを示すフローチャートである。ステップＳＴ１１１において、移動局が選択して既に通知したセクタＩＤの各セクタから、個別物理制御チャネルのデータを受信し、受信電力測定部５は、復調部４により復調された個別物理制御チャネルのパイロット部の振幅積分値とＡＧＣ部３の設定データに基づき、各セクタからのパイロット部の受信電力を測定すると共に、復調部４により復調された個別物理制御チャネルのＴＦＣＩ部の振幅積分値とＡＧＣ部３の設定データに基づき、各セクタからのＴＦＣＩ部の受信電力を測定する。また、受信電力測定部５は、復調部４により復調された共通パイロットチャネルのデータの振幅とＡＧＣ部３の設定データに基づき、各セクタからの共通パイロットチャネルの受信電力を測定する。
ステップＳＴ１１２において、判定部６はパイロット部の受信電力とＴＦＣＩ部の受信電力の差を演算して所定の閾値と比較し、ステップＳＴ１１３において、判定部６は、パイロット部の受信電力とＴＦＣＩ部の受信電力の差が所定の閾値未満であれば、そのセクタからの個別物理データチャネルのデータがありと判断し、パイロット部の受信電力とＴＦＣＩ部の受信電力の差が所定の閾値以上であれば、そのセクタからの個別物理データチャネルのデータがなしと判断することで、各セクタからの個別物理データチャネルのデータの送信有無を判定する。
ステップＳＴ１１４、ＳＴ１１５の処理は、実施の形態７の第９図のステップＳＴ８４，ＳＴ８５の処理と同一であり、候補選択部７によるセクタの選択方法は実施の形態７の第１０図に示す内容と同じである。
この実施の形態１０では、判定部６が、パイロット部の受信電力とＴＦＣＩ部の受信電力の差により、個別物理データチャネルのデータの送信有無を判定しているが、パイロット部の受信電力とＴＦＣＩ部の受信電力の比により、個別物理データチャネルのデータの送信有無を判定しても良い。
また、この実施の形態１０では、受信電力測定部５は、パイロット部の振幅積分値とＡＧＣ部３の設定データに基づき、各セクタのパイロット部の受信電力を測定し、ＴＦＣＩ部の振幅積分値とＡＧＣ部３の設定データに基づき、各セクタのＴＦＣＩ部の受信電力を測定しているが、ＡＧＣ部３の設定データを使用せずに、パイロット部とＴＦＣＩ部の振幅積分値の相対的な差を測定しても良い。
以上のように、この実施の形態１０によれば、候補選択部７が、サイト選択ダイバーシチ送信電力制御ＳＳＤＴｏｎ／ｏｆｆ情報と、パイロット部の受信電力とＴＦＣＩ部の受信電力により判定した個別物理データチャネルのデータの送信有無と、トランスポートチャネルの構成を示すＴＦＣＩのＤＴＸｏｎ／ｏｆｆ情報に基づいてセクタを選択することにより、サイト選択ダイバーシチ送信電力制御ＳＳＤＴの候補となる有効なセクタを精度良く選択することができ、ネットワーク側におけるデータの滞留を少なくすることができるという効果が得られる。
また、従来では移動局が選択したセクタが個別物理データチャネルのデータを送信しない場合には、回線状況が復旧するまで移動局は待つ必要があるが、この実施の形態１０によれば、個別物理データチャネルの受信確率を向上することができるという効果がある。
上記実施の形態７から上記実施の形態１０について、実施の形態７に実施の形態８から実施の形態１０を、適宜、組み合わせて使用しても良い。例えば、実施の形態７において個別物理データチャネルのデータの送信がありと判定し、実施の形態８から実施の形態１０のいずれかが個別物理データチャネルのデータの送信なしと判定した場合、最終的には個別物理データチャネルのデータの送信ありと判定しても良く、また、実施の形態７において個別物理データチャネルのデータの送信がありと判定し、実施の形態８から実施の形態１０のいずれかが、個別物理データチャネルのデータの送信ありと判定した場合、最終的には個別物理データチャネルのデータの送信ありと判定しても良い。
産業上の利用可能性
以上のように、この発明に係る移動局は、ネットワーク側における送信すべきデータの滞留を少なくし、移動局のデータの受信確率を向上するものに適している。
【図面の簡単な説明】
第１図はこの発明の実施の形態１から実施の形態６による移動局の構成を示すブロック図である。
第２図はこの発明の実施の形態１による移動局の処理の流れを示すフローチャートである。
第３図はこの発明の実施の形態２による移動局の処理の流れを示すフローチャートである。
第４図はこの発明の実施の形態３による移動局の処理の流れを示すフローチャートである。
第５図はこの発明の実施の形態４による移動局の処理の流れを示すフローチャートである。
第６図はこの発明の実施の形態５による移動局の処理の流れを示すフローチャートである。
第７図はこの発明の実施の形態６による移動局の処理の流れを示すフローチャートである。
第８図はこの発明の実施の形態７から実施の形態１０による移動局の構成を示すブロック図である。
第９図はこの発明の実施の形態７による移動局の処理の流れを示すフローチャートである。
第１０図はこの発明の実施の形態７から実施の形態１０による移動局の候補選択部のセクタの選択方法を説明する図である。
第１１図はこの発明の実施の形態８による移動局の処理の流れを示すフローチャートである。
第１２図はこの発明の実施の形態９による移動局の処理の流れを示すフローチャートである。
第１３図はこの発明の実施の形態１０による移動局の処理の流れを示すフローチャートである。
【図１】
2003094390.tif 000003
【図２】
2003094390.tif 000004
【図３】
2003094390.tif 000005
【図４】
2003094390.tif 000006
【図５】
2003094390.tif 000007
【図６】
2003094390.tif 000008
【図７】
2003094390.tif 000009
【図８】
2003094390.tif 000010
【図９】
2003094390.tif 000011
【図１０】
2003094390.tif 000012
【図１１】
2003094390.tif 000013
【図１２】
2003094390.tif 000014
【図１３】
2003094390.tif 000015
【国際調査報告】
2003094390.tif 000016
2003094390.tif 000017
2003094390.tif 000018
2003094390.tif 000019